(57)【要約】【課題】  機器破壊による紙幣の盗難の防止、及び抑止効果を得ることができる紙幣収納装置、紙幣取扱装置、及び盗難紙幣検出システムを提供する。【解決手段】  紙幣を収納する万円券金庫８、９、千円券金庫１０と、特殊インクを貯蔵するインクパックとを備え、装置への衝撃が所定の値を超えるとインクパックに貯蔵した特殊インクを紙幣５に噴射する自動取引装置１において、貯蔵する特殊インクの中に特定の情報を記憶する無線ＩＣタグを混入させておき、装置への衝撃が所定の値を超え特殊インクを紙幣５に噴射させたときに無線ＩＣタグを特殊インクと共に紙幣５に付着させる。また、自動取引装置１は、紙幣５を取り込み、紙幣５に付着した無線ＩＣタグから特定の情報を読み取るリーダ２７と、リーダ２７により読み取った特定の情報から盗難紙幣であると判定するリーダ制御部とを設ける。【選択図】  図１
2006252413.tif 000002
【特許請求の範囲】
【請求項１】
紙幣を収納する金庫と、インクを貯蔵する貯蔵器とを備え、装置への衝撃が所定の値を超えると前記貯蔵器に貯蔵したインクを紙幣に噴射する紙幣収納装置において、
貯蔵する前記インクの中に特定の情報を記憶する無線ＩＣタグを混入させておき、装置への衝撃が所定の値を超えインクを紙幣に噴射させたときに前記無線ＩＣタグをインクと共に紙幣に付着させることを特徴とする紙幣収納装置。
【請求項２】
前記貯蔵器を加振させる加振手段を設けた請求項１記載の紙幣収納装置。
【請求項３】
紙幣を取り込み、紙幣に付着した無線ＩＣタグから前記特定の情報を読み取る読取手段と、
前記読取手段により読み取った前記特定の情報から盗難紙幣であると判定する判定手段とを設けたことを特徴とする紙幣取扱装置。
【請求項４】
前記無線ＩＣタグは更に、インクが噴射された紙幣を収納する紙幣収納装置を特定する情報を記憶する請求項３記載の紙幣取扱装置。
【請求項５】
前記読取手段は、紙幣が搬送される搬送路に複数設けられ、情報の読取面が前記搬送路に対して互いに異なる角度で配設される請求項３記載の紙幣取扱装置。
【請求項６】
前記読取手段は、顧客が紙幣を載置する載置部に設けられる請求項３記載の紙幣取扱装置。
【請求項７】
装置外部に知らせる情報を表示する表示部と、
前記判定手段が盗難紙幣を検出すると、前記表示部に、前記載置部上に盗難紙幣が存在することを表示させる制御手段とを設けた請求項６記載の紙幣取扱装置。
【請求項８】
紙幣を収納する金庫と、特定の情報を記憶する無線ＩＣタグが混入された状態でインクを貯蔵する貯蔵器とを備え、装置への衝撃が所定の値を超えると前記貯蔵器に貯蔵したインクを紙幣に噴射させることにより前記無線ＩＣタグをインクと共に紙幣に付着させる紙幣収納装置と、
紙幣を取り込み、紙幣に付着した無線ＩＣタグから前記特定の情報を読取る読取手段と、該読取手段により読取った前記特定の情報から盗難紙幣であると判定する判定手段とを設けた紙幣取扱装置とから構成されることを特徴とする盗難紙幣検出システム。
【請求項９】
前記無線ＩＣタグは更に、インクが噴射される紙幣を収納する紙幣収納装置を特定する情報を記憶する請求項８記載の盗難紙幣検出システム。
【発明の詳細な説明】
【技術分野】
【０００１】
本発明は、紙幣収納装置、紙幣取扱装置、及び盗難紙幣検出システムに関する。
【背景技術】
【０００２】
従来、自動取引装置においては、機器が破壊されることで内部に積載状態で保管している紙幣が盗難されることを防止するために、現金を収納する金庫と、金庫に納められた現金にインクを噴射するインク噴射装置と、自動取引装置に加えられた衝撃を検出する衝撃センサと、自動取引装置に加えられた熱を感知する熱センサと、自動取引装置に備えられた扉の歪みを検出する歪み検出センサと、各センサからの検知信号により自動取引装置に加圧された刺激が所定の閾値を超えたことを検出した際に、インク噴射装置にインクを噴射させる制御を行う警報装置とを備えた装置があり、このような装置においては、警報装置が、各センサからの通報値が所定の閾値を超えたと判断すると、警報センタに接続して通報すると共に、インク噴射装置を制御して金庫内に置かれた現金にインクを噴射する（例えば、特許文献１参照。）。
【０００３】
このようにインクを紙幣に付着させることで盗難された紙幣である事を見た目で判断して紙幣を使用できなくすることや、あるいは自動取引装置の鑑別部にインクを検知する機能を備え、インクが付着した紙幣が自動取引装置に入金されると、鑑別部でインクを検知し、接客口から顧客に返却して紙幣を使用できなくすることで、紙幣の盗難の防止、及び抑制を図っている。
【特許文献１】特開２０００−３２２６２５号公報
【発明の開示】
【発明が解決しようとする課題】
【０００４】
上記従来の自動取引装置においては、インク噴射装置のノズルや噴射口の位置、あるいは破壊された時の金庫の状態により、積載された紙幣に対して付着するインクの領域が一定ではなく、紙幣毎に異なってしまう場合があった。紙幣に対するインクの付着領域が小さいと、紙幣の絵柄や紙幣に付着した汚れとの区別が難しくなり、見た目での判断が困難となり、また自動取引装置に挿入された場合でも、鑑別部でのインクの検出が困難になるという問題点があった。
【課題を解決するための手段】
【０００５】
上記課題を解決するために本発明で設けた第１の解決手段は、紙幣を収納する金庫と、インクを貯蔵する貯蔵器とを備え、装置への衝撃が所定の値を超えると前記貯蔵器に貯蔵したインクを紙幣に噴射する紙幣収納装置において、貯蔵する前記インクの中に特定の情報を記憶する無線ＩＣタグを混入させておき、装置への衝撃が所定の値を超えインクを紙幣に噴射させたときに前記無線ＩＣタグをインクと共に紙幣に付着させるものである。
【０００６】
上記課題を解決するために本発明で設けた第２の解決手段は、紙幣を取り込み、紙幣に付着した無線ＩＣタグから前記特定の情報を読み取る読取手段と、前記読取手段により読み取った前記特定の情報から盗難紙幣であると判定する判定手段とを設けた紙幣取扱装置を設けたものである。
【発明の効果】
【０００７】
本発明によれば、紙幣収納装置は、装置への衝撃が所定の値を超えインクを紙幣に噴射させたときに無線ＩＣタグをインクと共に紙幣に付着させ、また紙幣取扱装置は、読取手段が紙幣に付着した無線ＩＣタグから特定の情報を読み取り、読取手段により読み取った特定の情報から判定手段が盗難紙幣であると判定することにより、紙幣に対する特殊インクの付着領域が小さい場合であっても、盗難紙幣であることを容易に装置が認識することができる。その結果、機器破壊による紙幣の盗難の防止、及び抑止効果を得ることができる。
【発明を実施するための最良の形態】
【０００８】
以下、本発明の実施例を図面に従って説明する。なお、各図面に共通する要素には同一の符号を付す。
【実施例１】
【０００９】
始めに自動取引装置の構成について説明する。図１は実施例１の自動取引装置の構成を示す説明図、図２は実施例１のインク噴射機の構成を示す説明図、図３は実施例１のインクパック内の特殊インクと無線ＩＣタグの状態を示す説明図、図４は実施例１の特殊インクと無線ＩＣタグが付着した状態の紙幣を示す説明図である。
【００１０】
図１において、紙幣収納装置であり、紙幣取扱装置である自動取引装置１には、紙幣入出金部２と、主制御部３と、図示せぬ硬貨入出金部と、顧客操作部と、カード処理部と、通帳記帳部と、明細票処理部と、音声案内部と、電源部と、接近検知器と、記憶部と、インターフェース部とが設けられている。なお、主制御部３は、前記紙幣入出金部２と、硬貨入出金部と、顧客操作部と、カード処理部と、通帳記帳部と、明細票処理部と、音声案内部と、電源部と、接近検知器と、記憶部と、インターフェース部と接続されており、各部を制御している。
【００１１】
紙幣入出金部２には、前面上部に接客部４が設けられている。この接客部４は顧客に対して紙幣５を排出する、あるいは顧客から投入される紙幣５を受け入れるユニットである。
【００１２】
紙幣入出金部２の底部には、金種別に紙幣５を貯留する金種別金庫が複数設けられており、接客部４から金種別金庫まで、紙幣５が搬送される搬送路６が形成されている。搬送路６は紙幣５を搬送する図示せぬローラと搬送ベルトにより構成されており、接客部４と金種別金庫との間の搬送路６には、送り込まれた紙幣５の真偽、正損、表裏、２枚以上の重なり、及び斜行等を鑑別、検知する鑑別部７が設けられている。
【００１３】
なお、本実施例では、金種別金庫として、万円券を貯留する万円券金庫８、９と、千円券を貯留する千円券金庫１０がそれぞれ設けられている。そして万円券金庫８、９と、千円券金庫１０の上部には、図示せぬ一時保留板と、分離繰り出し部１９、２０、２１が金庫毎にそれぞれ設けられている。一時保留板は取り込み紙幣を収納前に一時保留し、分離繰出し部１９、２０、２１は一時保留板上の紙幣５を１枚ずつ分離して金種別金庫へと送り込むと共に、金種別金庫に貯留されている紙幣５を１枚ずつ分離して搬送路６へと繰出す。
【００１４】
紙幣入出金部３の後部には、金種別金庫へ補充する紙幣、あるいは金種別金庫から回収された紙幣を集積する紙幣補充／回収カセット２２が設けられており、搬送路２３により搬送路６に接続されている。
【００１５】
全ての金種別金庫にはそれぞれ、図２に示すインク噴射機１１が設けられている。このインク噴射機１１は、噴射機１２と、該噴射機１２に接続されたノズル１３とから構成されている。なお、ノズル１３は紙幣の集積方向に沿って伸びた状態で配置されている。なお、図示されていないが、紙幣補充／回収カセット２２内にも、同様のインク噴射機１１が設けられている。
【００１６】
噴射機１２には、ある程度の粘性を備え、耐溶性が高く、外気に触れると固まるインク又は溶剤（以下特殊インク１４とする）を内蔵し、前記ノズル１３に接続されている貯蔵器であるインクパック１５と、該インクパック１５から特殊インク１４をノズル１３方向に押し出すピストン１６と、該ピストン１６を動作させる加圧部１７とが内蔵されている。なお、特殊インク１４には微小な無線ＩＣタグ２５が混入されている。また、加圧部１７は化学反応による膨張や火薬の爆発等により圧力を発生し、主制御部３からの起動信号を受信すると圧力を発生させる。なお、本実施例では化学反応による膨張により圧力を発生させることとする。ノズル１３には複数の噴射口１８が形成されており、該噴射口１８から集積されている紙幣５に対して特殊インク１４が噴射される。
【００１７】
図３に示すように、特殊インク１４には予め複数の無線ＩＣタグ２５が混入されている。そして特殊インク１４の噴射時に無線ＩＣタグ２５が紙幣５に対して吹き付けられると、重なり合った紙幣５の隙間から特殊インク１４と共に無線ＩＣタグ２５が紙幣５の搬送面へと入り込み、図４に示すように、特殊インク１４の紙幣５への付着と共に無線ＩＣタグ２５もまた紙幣５に付着する。そして特殊インク１４は外気に触れることにより無線ＩＣタグ２５を含んだ状態で固まる。
【００１８】
無線ＩＣタグ２５は、不揮発性メモリを有する通信ＩＣと、書き込み・読み出し器と、送受波用のアンテナとから構成される。このＩＣタグ２５は、電池が不要であり、また、非接触で通信を行うことができる。そして不揮発性メモリに書き込まれている情報は、後述するリーダを用いて電気的結合作用により、外部から読み出すことができる。不揮発性メモリにはタグ識別情報エリアが形成されており、タグ識別情報エリアには、無線ＩＣタグ２５がインクパック１５に内蔵される前に情報が書き込まれる。なお、今回書き込まれる情報は、盗難紙幣であることを示す情報である。
【００１９】
図１に示すように、自動取引装置１にはまた、自動取引装置１が攻撃を受けると受けた衝撃に応じた値を主制御部３に送信する破壊検知手段である破壊検知センサ２４が設けられている。そして図２に示すようにインク噴射機１１には主制御部３が接続されている。そして主制御部３は破壊検知センサ２４から衝撃に応じた値を受信すると、該受信した値が予め決められた値を超えているか否かを判断し、予め決めた値を超えていると判断した場合には、インク噴射器１１の加圧部１７に対して起動信号を送信する。
【００２０】
次に上記無線ＩＣタグ２５を検出する無線ＩＣタグ検出機構２６の構成について説明する。図５は実施例１の無線ＩＣタグ検出機構の構成を示すブロック図、図６は実施例１のリーダと紙幣との位置関係を示す斜視図である。
【００２１】
図５において、無線ＩＣタグ検出機構２６は紙幣入出金部２に配設されている。無線ＩＣタグ検出機構２６は、送受波用のアンテナ、動力伝送部、及びデータ送受信部等を備えた読取手段であるリーダ２７と、該リーダ２７を制御する判定手段であるリーダ制御部２８と、該リーダ制御部２８に接続され、紙幣５の搬送を制御する搬送制御部２９と、該搬送制御部２９に接続され、紙幣５の搬送位置を監視する搬送監視センサ３０（３０ａ、３０ｂ・・・３０ｎ）とから構成されている。なお、リーダ２７は図１に示すように搬送路６上に配設されている。また、リーダ２７は鑑別部７に搭載されていても良い。
【００２２】
図６に示すように、無線ＩＣタグ２５が付着した紙幣５がリーダ２７に到達すると、リーダ２７のアンテナからの電波を無線ＩＣタグ２５のアンテナが受信し、リーダ２７から無線ＩＣタグ２５に対して電力が供給される。これにより無線ＩＣタグ２５は不揮発性メモリに書き込まれている情報をリーダ２７に対して発信する。リーダ２７は無線ＩＣタグ２５から発信された情報を受信して復号化し、リーダ制御部２８に送信する。そしてリーダ制御部２８はリーダ２７から受信した情報を解析する。
【００２３】
搬送監視センサ３０は搬送路６に配設されており、紙幣５を検知すると搬送制御部２９に対して紙幣５を検知したことを示す信号を送信する。搬送制御部２９はこの搬送監視センサ３０から送信されてくる信号に基づき紙幣５の搬送位置を特定し、リーダ制御部２８に対して紙幣の搬送情報として送信する。
【００２４】
リーダ制御部２８は搬送制御部２９から送信されてくる紙幣５の搬送情報に基づき、リーダ２７が無線ＩＣタグ２５からタグ識別情報を受信した際に、該タグ識別情報を発信した紙幣５を特定し、搬送制御部２９に対して該特定した紙幣５を通知する。搬送制御部２９はリーダ制御部２８から返却すべき紙幣５の情報を受信すると、該返却すべき紙幣５の位置を、搬送監視センサ３０からの信号から判断し、返却紙幣５を接客部４へと搬送するように図示せぬブレードの切り替え制御を行う。
【００２５】
次に上記構成における外部からの攻撃を受けたときの自動取引装置１の動作について説明する。なお、無線ＩＣタグ２５の不揮発性メモリのタグ識別情報エリアには予め、盗難紙幣であることを示す情報が書き込まれている。
【００２６】
図１において、外部より自動取引装置１がバール等による攻撃を受けた場合、破壊検知センサ２４が受けた衝撃に応じた値を主制御部３に送信する。主制御部３は破壊検知センサ２４から衝撃に応じた値を受信すると、該受信した値が予め決められた値を超えているか否かを判断する。そして予め決めた値を超えていると判断した場合には、主制御部３は自動取引装置１が破壊されているとして図２に示すインク噴射器１１の加圧部１７に対して起動信号を送信する。
【００２７】
加圧部１７は主制御部３からの起動信号を受信することで化学反応による膨張により圧力を発生する。この圧力によりノズル１３の噴射口１８から集積されている紙幣５に対して特殊インク１４が噴射される。そしてこの特殊インク１４の噴射時に無線ＩＣタグ２５が紙幣５に対して吹き付けられ、重なり合った紙幣５の隙間から特殊インク１４と共に無線ＩＣタグ２５が紙幣５の搬送面へと入り込み、図４に示すように、特殊インク１４の紙幣５への付着と共に無線ＩＣタグ２５もまた紙幣５に付着する。そして特殊インク１４は外気に触れることにより無線ＩＣタグ２５を含んだ状態で固まる。
【００２８】
次に特殊インク１４が付着した紙幣を含む複数枚の紙幣５が自動取引装置１に挿入されたときの自動取引装置１の動作について説明する。
【００２９】
図１において、自動取引装置１で取引を行おうとする顧客が、自動取引装置１の顧客操作部に表示されている顧客誘導画面の中から「ご入金」を選択すると、主制御部３は入金取引処理を実行する。従って、主制御部３は通帳の挿入案内とＩＤカードの挿入案内を行う。これに従って顧客はＩＤカードをカード処理装置のカード挿入排出口に挿入する。カード処理部ではＩＤカードから口座番号を読み取り、主制御部３に送信する。主制御部３は図示せぬインタフェース部と通信回線を介してホストコンピュータに所定の問い合わせを行う。
【００３０】
ホストコンピュータは問題の有無を確認する。そして問題が無く入金可能であれば、取引を了解することを示す信号を通信回線を介して自動取引装置１へと送信する。そして主制御部３は取引を了解することを示す信号を受信すると、紙幣入出金部３に対して紙幣受け入れの指示を行う。
【００３１】
これを受けて、紙幣入出金部２は図示せぬモータを駆動して接客部４に設けられた図示せぬシャツターを開き、紙幣５が接客部４内に投入されるのを待つ。顧客により紙幣５が投入されたことが接客部４に設けられた図示せぬ検知センサにより検知されると、紙幣入出金部２はシャッターを閉じる。そして搬送制御部２９は図示せぬ繰出しローラと、搬送路６に複数設けられた搬送ローラ対を回転させて紙幣５を１枚ずつ搬送路６へと繰出し、搬送路６を搬送させる。
【００３２】
無線ＩＣタグ２５が付着した紙幣５がリーダ２７に到達すると、リーダ２７のアンテナからの電波を無線ＩＣタグ２５のアンテナが受信し、リーダ２７から無線ＩＣタグ２５に対して電力が供給される。これにより無線ＩＣタグ２５は不揮発性メモリのタグ識別情報エリアに書き込まれているタグ識別情報をリーダ２７に対して発信する。リーダ２７は無線ＩＣタグ２５から発信されたタグ識別情報を受信して復号化し、リーダ制御部２８に送信する。
【００３３】
リーダ制御部２８はリーダ２７から受信した、無線ＩＣタグ２５から読み取ったタグ識別情報から、今回検出した紙幣５は盗難された紙幣であると判断すると、搬送制御部２９から送信されてくる紙幣５の搬送情報に基づき、タグ識別情報を発信した紙幣５を特定し、搬送制御部２９に対して該特定した紙幣５を通知する。搬送制御部２９はリーダ制御部２８から返却すべき紙幣５の情報を受信すると、該返却すべき紙幣５の位置を、搬送監視センサ３０からの信号から判断し、返却紙幣５を接客部４へと搬送するように図示せぬブレードの切り替え制御を行う。そして接客部４へと紙幣５を搬送する。
【００３４】
一方、リーダ２７が無線ＩＣタグ２５を検出しない紙幣５は鑑別部７で、真偽鑑別、正損、走行状態を鑑別する。そして鑑別部７で偽券、搬送異常券と判定した紙幣５があった場合、鑑別部７は搬送制御部２９に今回鑑別した紙幣は偽券、あるいは搬送異常券であることを示すデータを送信する。
【００３５】
搬送制御部２９は、鑑別部７から今回鑑別した紙幣は偽券、あるいは搬送異常券であることを示すデータを受信すると、その紙幣５を接客部４に戻すための搬送制御を行い、接客部４へと紙幣５を搬送する。
【００３６】
このようにして盗難された紙幣５、偽券、あるいは搬送異常券と判断された紙幣５が接客部４へと戻されると、紙幣入出金部２は主制御部３に対して顧客に返却する紙幣があることを示すデータを送信する。主制御部３はこのデータを受信すると顧客操作部に入金不可能な紙幣を返却することを表示させる。また紙幣入出金部２は図示せぬモータを駆動して接客部４に設けられた図示せぬシャツターを開き、紙幣５が受け取られるのを待つ。顧客により紙幣５が受け取られたことを接客部４に設けられた図示せぬ検知センサが検知すると、紙幣入出金部２はシャッターを閉じる。
【００３７】
一方、リーダ２７が無線ＩＣタグ２５を検出せず、また鑑別部７で真券と判断された紙幣５は金種別金庫へと搬送する。ここで千円券の正券は千円券金庫１０の図示せぬ一時保留板上に集積し、同様に万円券の正券は万円券金庫８、あるいは万円券金庫９の図示せぬ一時保留板上に集積する。
【００３８】
以上の動作によって、顧客により投入された紙幣５の入金計数処理が完了すると、紙幣入出金部２は主制御部３に入金計数終了のレスポンスと金種別に正券として計数した枚数を送信する。主制御部３はこのデータを受信すると、図示せぬ記憶部に記憶し、顧客操作部の表示部に入金金額を表示させる。
【００３９】
顧客が顧客操作部に表示された入金金額を確認し、図示せぬ確認ボタンを押下すると、紙幣入出金部２は各金種別金庫の一時保留板上に集積していた入金紙幣５を金種別金庫内部へとそれぞれ収納する。
【００４０】
更に主制御部３はＩＤカードの排出を行わせる。従って、カード処理部はＩＤカードのカード挿入排出口への移動を行い、取引内容を印字した明細票と共にＩＤカードの排出を行う。これにより、顧客はＩＤカードを自動取引装置１から受け取る。これで今回の取引は終了となる。
【００４１】
なお、図示せぬ記憶部に記憶された入金金額は口座番号と共にインターフェース部と通信回線を介してホストコンピュータに送信される。
【００４２】
以上本発明の実施例１においては、自動取引装置１への衝撃が所定の値を超えると、紙幣５に盗難紙幣であることを示す情報を記憶した無線ＩＣタグ２５を付着させ、また自動取引装置１に無線ＩＣタグ検出機構２６を設けることにより、紙幣５に対する特殊インク１４の付着領域が小さい場合であっても、無線ＩＣタグ２５が紙幣５に付着していることでリーダ２７が無線ＩＣタグ２５に記憶されている情報を読み取り、盗難紙幣であることを容易に装置が認識することができる。その結果、機器破壊による紙幣５の盗難の防止、及び抑止効果を得ることができる。
【実施例２】
【００４３】
次に本発明の実施例２について説明する。なお、上記実施例１と同様の箇所には同一符号を付し、説明は省略する。図７は実施例２の特殊インクと無線ＩＣタグが付着した状態の紙幣の一部を示す説明図、図８は実施例２のリーダと紙幣との位置関係を示す斜視図である。
【００４４】
無線ＩＣタグ２５とリーダ２７間の送受信は、それぞれの情報の読取面であるアンテナ面が平行となる位置関係、すなわちアンテナ面に対して垂直方向に送受波が通過する場合が最も安定する。一方、無線ＩＣタグ２５のアンテナ面とリーダ２７のアンテナ面との位置関係が平行でない状態では、無線ＩＣタグ２５とリーダ２７間の送受信性能は低下し、対向する互いのアンテナ面が平行状態から角度を持つに従って送受信性能は低下する。
【００４５】
紙幣５に付着した無線ＩＣタグ２５のアンテナ面は、紙幣５の搬送面、すなわち搬送路面に対して常に水平になるように付着するとは限らず、図７に示すように、無線ＩＣタグ２５の全面が紙幣５の面に付着せず、無線ＩＣタグ２５の一部が紙幣５の面から離れ、傾いた状態で付着する場合がある。このような場合にはリーダ２７のアンテナ面と無線ＩＣタグのアンテナ面との位置関係が平行とはならないので送受信性能が低下し、リーダ２７が無線ＩＣタグ２５を検出する性能が低下する可能性がある。
【００４６】
本実施例においては、図８に示すように、複数のリーダ２７（２７ａ、２７ｂ、２７ｃ）が、それぞれのアンテナ面が紙幣５の搬送面（搬送路６）に対して互いに異なる角度で対向するように搬送路６上に配設されている。すなわち、リーダ２７ａは、該リーダ２７ａのアンテナ面と紙幣５の搬送面との位置関係が平行であるように搬送路６上に配設されており、リーダ２７ｂとリーダ２７ｃは、それぞれのアンテナ面と紙幣５の搬送面との位置関係が平行でないように、傾いた状態で搬送路６上に配設されている。なお、リーダ２７ｂとリーダ２７ｃの紙幣５の搬送面に対する傾き方向は反対となっている。従って、リーダ２７ａ、２７ｂ、２７ｃのアンテナ面はそれぞれ異なった角度で紙幣５の搬送面に対向することになり、これによりリーダ２７ａ、２７ｂ、２７ｃのアンテナ面の送受波方向は紙幣５の搬送面に対してそれぞれ異なった角度となる。なお、その他の自動取引装置１の構成は実施例１と同様であるので説明は省略する。
【００４７】
次に特殊インク１４が付着した紙幣５が自動取引装置１に挿入されたときの自動取引装置１の動作について説明する。なお、紙幣５がリーダ２７に到達するまでの自動取引装置１の動作は実施例１と同様であるので説明は省略し、ここでは紙幣５がリーダ２７に到達してからの動作について説明する。
【００４８】
無線ＩＣタグ２５が付着した紙幣５がリーダ２７ａ、２７ｂ、２７ｃに到達すると、無線ＩＣタグ２５の傾きに応じてリーダ２７ａ、２７ｂ、２７ｃのいずれかのリーダ２７のアンテナからの電波を無線ＩＣタグ２５のアンテナが受信し、リーダ２７（ここではリーダ２７ｂとする）から無線ＩＣタグ２５に対して電力が供給される。これにより無線ＩＣタグ２５は不揮発性メモリのタグ識別情報エリアに書き込まれているタグ識別情報をリーダ２７ｂに対して発信する。リーダ２７ｂは無線ＩＣタグ２５から発信されたタグ識別情報を受信して復号化し、リーダ制御部２８に送信する。
【００４９】
リーダ制御部２８はリーダ２７から受信した、無線ＩＣタグ２５から読み取ったタグ識別情報から、今回検出した紙幣５は盗難された紙幣であると判断すると、搬送制御部２９から送信されてくる紙幣５の搬送情報に基づき、タグ識別情報を発信した紙幣５を特定し、搬送制御部２９に対して該特定した紙幣５を通知する。搬送制御部２９はリーダ制御部２８から返却すべき紙幣５の情報を受信すると、該返却すべき紙幣５の位置を、搬送監視センサ３０からの信号から判断し、返却紙幣５を接客部４へと搬送するように図示せぬブレードの切り替え制御を行う。そして接客部４へと紙幣５を搬送する。なお、これ以降の自動取引装置１の動作は実施例１と同様であるので説明は省略する。
【００５０】
このように、傾いた状態で無線ＩＣタグ２５が付着している紙幣５が搬送路６上を搬送されても、傾いた状態で搬送路６上に配設されているリーダ２７ｂ、あるいは２７ｃが無線ＩＣタグ２５を検出することができる。
【００５１】
以上本発明の実施例２においては、複数のリーダ２７（２７ａ、２７ｂ、２７ｃ）が、それぞれのアンテナ面が紙幣５の搬送面（搬送路６）に対して互いに異なる角度で対向するように搬送路６上に配設されていることにより、紙幣５に付着した無線ＩＣタグ２５のアンテナ面の向きがリーダ２７のアンテナ面と平行でなくても、アンテナ面の向きに適したいずれかのリーダ２７で無線ＩＣタグ２５を検出することができるので、リーダ２７が無線ＩＣタグ２５を検出する性能を向上させることができ、その結果、盗難紙幣の検出性能を更に向上させることができる。
【実施例３】
【００５２】
次に本発明の実施例３について説明する。なお、上記実施例１と同様の箇所には同一符号を付し、説明は省略する。図９は実施例３のインクパックの内部の状態を示す説明図、図１０は実施例３のインク噴射機の構成を示す説明図、図１１は実施例３のインクパックの内部の状態を示す説明図である。
【００５３】
特殊インク１４に混入された無線ＩＣタグ２５は、特殊インク１４との密度の違いにより、インクパック１５が長時間に渡り同じ向きで設置されると、図９に示すように特殊インク１４の中の無線ＩＣタグ２５が沈殿、凝集する場合があり、インクパック１５の上方には無線ＩＣタグ２５がなく、下部に無線ＩＣタグ２５が集まる状態となる。このような状態で特殊インク１４が噴射されると、無線ＩＣタグ２５が含まれていない特殊インク２５が付着する紙幣５と、無線ＩＣタグ２５が含まれている特殊インク２５が付着する紙幣５とが発生し、無線ＩＣタグ２５をほぼ均等に紙幣５に付着させることが不可能となってしまう。
【００５４】
本実施例においては、図１０に示すように、インクパック１５に密着した状態で超音波を発信する加振手段である超音波発信器３１が配設されている。この超音波発信器３１には駆動ドライバ３２が接続されており、駆動ドライバ３２には更に該駆動ドライバ３２の駆動を制御する駆動制御部３３が接続されている。駆動制御部３３は超音波発信器３１に電力が供給されている間常に、若しくは定期的に駆動ドライバ３２に対して駆動信号を送信し、駆動ドライバ３２はこの駆動信号を受信すると超音波発信器３１を駆動させる。超音波発信器３１が駆動状態となると超音波を発信してインクパック１５を加振する。この振動により沈殿した無線ＩＣタグ２５が図１１に示すように特殊インク１４中を流動し、特殊インク１４中に拡散する。
【００５５】
無線ＩＣタグ２５が特殊インク１４中を流動し、拡散している状態で自動取引装置１が外部から攻撃を受け特殊インク１４が噴射されると、特殊インク１４と共に全ての紙幣５にほぼ均等に無線ＩＣタグ２５を付着させることができる。なお、その他の自動取引装置１の構成は実施例１と同様であるので説明は省略し、また特殊インク１４が付着した紙幣５が自動取引装置１に挿入されたときの自動取引装置１の動作についても実施例１と同様であるので説明は省略する。
【００５６】
以上本発明の実施例３においては、インクパック１５を加振する超音波発信機３１を設けたことにより、特殊インク１４が噴射されたときに、特殊インク１４と共に全ての紙幣５にほぼ均等に無線ＩＣタグ２５を付着させることができる。その結果、盗難紙幣の検出性能を更に向上させることができる。
【００５７】
なお、本実施例では加振手段として超音波発信器３１を設けたが、機械的な加振機を用いて加振することも可能である。また、インクパック１５に加振手段を密着させて加振する構成としたが、噴射機１２の外側に密着させて加振する構成としても良い。
【００５８】
上記実施例１、実施例２、実施例３において、自動取引装置１が盗難された紙幣５を検出すると、盗難された紙幣５が自動取引装置１内に挿入されたことを、盗難された紙幣５を入金しようとした口座の口座番号と共に記憶部に記憶するようにしても良い。また、盗難された紙幣５を検出すると直ちに、該盗難された紙幣５が挿入された自動取引装置１を管理する管理センタに知らせるようにしても良い。これにより、盗難された紙幣５に対して直ちに自動取引装置１の管理者が対応を取ることができる。
【実施例４】
【００５９】
次に本発明の実施例４について説明する。なお、上記実施例１と同様の箇所には同一符号を付し、説明は省略する。図１２は実施例４の無線ＩＣタグの構成を示す説明図である。
【００６０】
図１２において、特殊インク１４に混入される無線ＩＣタグ２５には実施例１と同様に不揮発性メモリ３４が搭載されている。不揮発性メモリ３４には、上記実施例１と同様に盗難紙幣であることを示す情報が書き込まれるタグ識別情報エリア３４ａが形成されていると共に、装置特定情報エリア３４ｂが形成されており、タグ識別情報エリア３４ａと、装置特定情報エリア３４ｂには、無線ＩＣタグ２５がインクパック１５に内蔵される前に情報が書き込まれる。装置特定情報エリア３４ｂに書き込まれる情報は、不揮発性メモリ３４が搭載される無線ＩＣタグ２５を内蔵する自動取引装置１を特定する情報、例えば無線ＩＣタグ２５が内蔵された自動取引装置１の機種番号であり、自動取引装置１との整合が取れるように、自動取引装置１の機種番号と共に、製造元、販売元、若しくは使用者が書き込む情報の管理を行う。
【００６１】
次に特殊インク１４が付着した紙幣５が自動取引装置１に挿入されたときの自動取引装置１の動作について説明する。なお、紙幣５がリーダ２７に到達するまでの自動取引装置１の動作は実施例１と同様であるので説明は省略し、ここでは紙幣５がリーダ２７に到達してからの動作について説明する。
【００６２】
無線ＩＣタグ２５が付着した紙幣５がリーダ２７に到達すると、リーダ２７のアンテナからの電波を無線ＩＣタグ２５のアンテナが受信し、リーダ２７から無線ＩＣタグ２５に対して電力が供給される。これにより無線ＩＣタグ２５は不揮発性メモリ３４のタグ識別情報エリア３４ａからタグ識別情報を、また装置特定情報エリア３４ｂから自動取引装置１の機種番号をリーダ２７に対して発信する。リーダ２７は無線ＩＣタグ２５から発信されたタグ識別情報と、自動取引装置１の機種番号を受信して復号化し、リーダ制御部２８に送信する。
【００６３】
リーダ制御部２８はリーダ２７から受信した、無線ＩＣタグ２５から読み取ったタグ識別情報から、今回検出した紙幣５は盗難された紙幣であると判断すると、搬送制御部２９から送信されてくる紙幣５の搬送情報に基づき、タグ識別情報を発信した紙幣５を特定し、搬送制御部２９に対して該特定した紙幣５を通知する。搬送制御部２９はリーダ制御部２８から返却すべき紙幣５の情報を受信すると、該返却すべき紙幣５の位置を、搬送監視センサ３０からの信号から判断し、返却紙幣５を接客部４へと搬送するように図示せぬブレードの切り替え制御を行う。そして接客部４へと紙幣５を搬送する。なお、これ以降の自動取引装置１の動作は実施例１と同様であるので説明は省略する。
【００６４】
また、リーダ制御部２８はリーダ２７から受信した、自動取引装置１の機種番号を主制御部３に送信する。主制御部３は機種番号を受信すると自動取引装置１に搭載されているハードディスク等に、紙幣５が盗難された自動取引装置１として機種番号を記憶する。製造元、販売元、若しくは使用者はハードディスクから紙幣５が盗難された自動取引装置１の機種番号を読み出すことで、入金された紙幣５がどの自動取引装置１から盗まれた紙幣なのかを特定することができる。
【００６５】
また、ハードディスク等に、紙幣５が盗難された自動取引装置１として機種番号を記憶する際に、盗難された紙幣５を入金しようとした口座の口座番号も合わせて記憶するようにしても良い。更に、ハードディスク等に記憶するだけではなく、盗難された紙幣５を検出すると直ちに、該盗難された紙幣５が挿入された自動取引装置１を管理する管理センタに知らせるようにしても良い。これにより、盗難された紙幣５に対して直ちに自動取引装置１の管理者が対応を取ることができる。
【００６６】
以上本発明の実施例４においては、不揮発性メモリ３４に、該不揮発性メモリ３４が搭載される無線ＩＣタグ２５を内蔵する自動取引装置１を特定する情報を書き込むことにより、自動取引装置１が盗難された紙幣５を検出した場合に、破壊され、紙幣５が盗難された自動取引装置１を特定することができるので、紙幣５の盗難事件を特定することができ、事件解決の手掛かりとすることができる。その結果、機器破壊による紙幣５の盗難の防止、及び抑止効果を更に向上させることができる。
【００６７】
なお、上記実施例１、実施例２、実施例３、実施例４においては、無線ＩＣタグ検出機構２６を自動取引装置１に設けているが、紙幣が挿入される機器、例えば入金専用機、紙幣整理器、計数機等に設けることができる。また、インク噴射機１１においては、手持ち金庫、設置型金庫、あるいは銀行の夜間金庫、更にアタッシュケースに搭載することができる。
【実施例５】
【００６８】
次に本発明の実施例５について説明する。なお、上記実施例１と同様の箇所には同一符号を付し、説明は省略する。図１３は実施例５のキャッシュレジスタを示す斜視図、図１４は実施例５のキャッシュトレイの構成を示す説明図、図１５は実施例５のキャッシュレジスタの制御系を示すブロック図である。
【００６９】
図１３において、キャッシュレジスタ４１には、装置外部に知らせる情報を表示する表示部４２と、顧客が紙幣５を載置する載置部であるキャッシュトレイ４３と、店員により操作され、キャッシュレジスタ４１に知らせる情報が入力される情報入力部４４と、現金を保管する現金保管部４５が設けられている。なお、本実施例ではキャッシュレジスタとしたが、ＰＯＳレジスタでも良い。
【００７０】
図１４に示すように、キャッシュトレイ４３は内部に、送受波用のアンテナ４７、動力伝送部、及びデータ送受信部等を備えたリーダ４６を備えている。リーダ４６はアンテナ４７との通信制御が可能であると共に、キャッシュレジスタ４１とＩ／Ｆ回線４８で接続されており、キャッシュレジスタ４１ともまた通信制御が可能となっている。
【００７１】
図１５に示すように、キャッシュレジスタ４１にはリーダ４６を制御するリーダ制御部４９が設けられており、リーダ４６がアンテナ４７を介して無線ＩＣタグ２５から受信した情報はリーダ制御部４９に送信され、該リーダ制御部４９は受信した情報を解析する。またキャッシュレジスタ４１には、キャッシュレジスタ４１全体を制御する制御手段である主制御部５０が設けられており、主制御部５０にはリーダ制御部４９と、表示部４２が接続されている。なお、本実施例においても、無線ＩＣタグ２５の不揮発性メモリのタグ識別情報エリア書き込まれている情報は、盗難紙幣であることを示す情報である。
【００７２】
次に特殊インク１４が付着した紙幣５がキャッシュトレイ４３に置かれたときのキャッシュレジスタ４１の動作について説明する。
【００７３】
無線ＩＣタグ２５が付着した紙幣５がキャッシュトレイ４３に置かれると、リーダ４６のアンテナからの電波を無線ＩＣタグ２５のアンテナが受信し、リーダ４６から無線ＩＣタグ２５に対して電力が供給される。これにより無線ＩＣタグ２５は不揮発性メモリのタグ識別情報エリアに書き込まれているタグ識別情報（盗難紙幣であることを示す情報）をリーダ４６に対して発信する。リーダ４６は無線ＩＣタグ２５から発信されたタグ識別情報を受信して復号化し、リーダ制御部４９に送信する。
【００７４】
リーダ制御部４９はリーダ４６から受信した、無線ＩＣタグ２５から読み取ったタグ識別情報から、今回検出した紙幣５は盗難された紙幣であると判断すると、主制御部５０に盗難された紙幣が含まれていることを示す信号を送信する。主制御部５０はこの信号を受信すると表示部４２に対して盗難された紙幣がキャッシュトレイ４３上に存在することを示す情報を、文言、予め定められたコード、若しくは点滅表示等により表示させる信号を送信する。表示部４２はこの信号を受けて、盗難された紙幣がキャッシュトレイ４３上に置かれていることを示す情報を、文言、予め定められたコード、若しくは点滅表示等により表示させてキャッシュレジスタ４１を担当している店員に知らせる。店員は表示部４２の表示内容を確認して、紙幣５の受け取りの拒否や、警察への通報等を行う。
【００７５】
以上本発明の実施例５においては、リーダ４６をキャッシュトレイ４３に設け、盗難紙幣を検出すると表示部４２にキャッシュトレイ４３上に盗難紙幣が存在することを表示させることにより、紙幣５に対する特殊インク１４の付着領域が小さく、紙幣５の絵柄や紙幣５に付着した汚れとの区別が難しく、見た目での判断が困難であっても、盗難紙幣であることを容易に装置が認識し、表示部４２に表示させることができる。その結果、店員が盗難紙幣を認識することができ、受け取りの拒否や、警察への通報等が可能となり、機器破壊による紙幣５の盗難の防止、及び抑止効果を得ることができる。
【００７６】
なお、本実施例においては、盗難紙幣がキャッシュトレイ４３に置かれたことを画面表示により表示させているが、ＬＥＤ等のランプの点灯や明滅により表示させて、店員に通知するようにしても良い。また、リーダ制御部４９、主制御部５０の機能、及びＬＥＤ等のランプをキャッシュトレイ４３に備えることで、キャッシュレジスタ４１に接続することなく、キャッシュトレイ４３単独で、無線ＩＣタグ２５が付着した紙幣５の検出、及び店員への通知が可能となる。
【００７７】
更に、シート状に形成したリーダ４６を支払いカウンタ上に配設し、キャッシュレジスタ４１に接続しても良い。これにより、顧客が支払いカウンタ上に現金を置いた場合にも、盗難紙幣を検出することができ、店員への通知が可能となる。
【図面の簡単な説明】
【００７８】
【図１】実施例１の自動取引装置の構成を示す説明図である。
【図２】実施例１のインク噴射機の構成を示す説明図である。
【図３】実施例１のインクパック内の特殊インクと無線ＩＣタグの状態を示す説明図である。
【図４】実施例１の特殊インクと無線ＩＣタグが付着した状態の紙幣を示す説明図である。
【図５】実施例１の無線ＩＣタグ検出機構の構成を示すブロック図である。
【図６】実施例１のリーダと紙幣との位置関係を示す斜視図である。
【図７】実施例２の特殊インクと無線ＩＣタグが付着した状態の紙幣の一部を示す説明図である。
【図８】実施例２のリーダと紙幣との位置関係を示す斜視図である。
【図９】実施例３のインクパックの内部の状態を示す説明図である。
【図１０】実施例３のインク噴射機の構成を示す説明図である。
【図１１】実施例３のインクパックの内部の状態を示す説明図である。
【図１２】実施例４の無線ＩＣタグの構成を示す説明図である。
【図１３】実施例５のキャッシュレジスタを示す斜視図である。
【図１４】実施例５のキャッシュトレイの構成を示す説明図である。
【図１５】実施例５のキャッシュレジスタの制御系を示すブロック図である。
【符号の説明】
【００７９】
１  自動取引装置
５  紙幣
８  万円券金庫
９  万円券金庫
１０  千円券金庫
１１  インク噴射機
１４  特殊インク
２５  無線ＩＣタグ
２７  リーダ
３１  超音波発信器
３４  不揮発性メモリ
４１  キャッシュレジスタ
４２  表示部
４３  キャッシュトレイ
４６  リーダ
【図１】
2006252413.tif 000003
【図２】
2006252413.tif 000004
【図３】
2006252413.tif 000005
【図４】
2006252413.tif 000006
【図５】
2006252413.tif 000007
【図６】
2006252413.tif 000008
【図７】
2006252413.tif 000009
【図８】
2006252413.tif 000010
【図９】
2006252413.tif 000011
【図１０】
2006252413.tif 000012
【図１１】
2006252413.tif 000013
【図１２】
2006252413.tif 000014
【図１３】
2006252413.tif 000015
【図１４】
2006252413.tif 000016
【図１５】
2006252413.tif 000017